(57)【要約】【課題】  扉体に操作部と窓部を備えたものにおいて、操作部部分の高級感を出すことができるようにしながらも、製造コストを極力低減することが可能な食器洗浄機を提供する【解決手段】  下扉体６に、外部から洗浄槽内を透視可能な窓部３５、スイッチ４０を操作する操作部４７を備える。窓部３５の外側透明部材２７は、パネル部２９を隙間３０を介して前方から覆い、操作部４７に対応する部分に孔部４８を形成している。外側透明部材２７の表面にはフィルム４９を貼り付けていて、このフィルム４９により操作部４７の前面も覆っている。配線基板３８の裏側には照明用ＬＥＤ４２を設け、この照明用ＬＥＤ４２により洗浄槽内を照明できる構成としている。【選択図】  図１
2005342160.tif 000002
【特許請求の範囲】
【請求項１】
内部に洗浄槽を有すると共に前面に開口部を有した本体と、
この本体の前面に前記開口部を開閉するように設けられた扉体と、
この扉体に設けられ、洗浄運転に係る設定を行うための操作部と、
前記扉体に前記操作部の近傍に位置させて設けられ、前記洗浄槽内を外部から透視可能とする窓部とを備え、
前記窓部は前記扉体の内側と外側のそれぞれに透明部材を有すると共に、前記外側の透明部材の表面にこれを覆うフィルムを有し、このフィルムにより、前記操作部の前面も覆うようにしたことを特徴とする食器洗浄機。
【請求項２】
前記扉体は複数の扉体により構成され、これら複数の扉体のうち、下側の扉体に、前記操作部及び窓部を設けたことを特徴とする請求項１記載の食器洗浄機。
【請求項３】
前記窓部の内側の透明部材の材料は、ポリメチルペンテンであることを特徴とする請求項１または２記載の食器洗浄機。
【請求項４】
前記窓部の内側の透明部材の周囲部に、当該透明部材より後方へ突出する部分があることを特徴とする請求項１ないし３のいずれかに記載の食器洗浄機。
【請求項５】
前記窓部の下辺部は、奥側が前側より低くなっていることを特徴とする請求項１ないし４のいずれかに記載の食器洗浄機。
【請求項６】
前記窓部の内側の透明部材と外側の透明部材との間に形成される空間部の周囲をシール手段によりシールする構成としたことを特徴とする請求項１ないし５のいずれかに記載の食器洗浄機。
【請求項７】
前記扉体に、前記洗浄槽内を照明する照明手段を設けたことを特徴とする請求項１記載の食器洗浄機。
【請求項８】
前記照明手段は、前記窓部の内側の透明部材の内側に配置されていて、その内側の透明部材を通して前記洗浄槽内を照明することを特徴とする請求項７記載の食器洗浄機。
【請求項９】
前記照明手段はＬＥＤであり、前記操作部により操作されるスイッチ及び表示素子を配線基板の前面側に配設すると共に、前記配線基板の裏側に前記ＬＥＤを配設するようにしたことを特徴とする請求項７または８記載の食器洗浄機。
【請求項１０】
前記配線基板は印刷配線されていて、照明用の前記ＬＥＤは、はと目を介して前記配線基板の配線に接続するようにしたことを特徴とする請求項９記載の食器洗浄機。
【請求項１１】
前記窓部の内側の透明部材において、前記配線基板を収納するケースに対応する部分にシボ加工を施したことを特徴とする請求項９または１０記載の食器洗浄機。
【請求項１２】
前記洗浄槽は内部にステンレス板を有し、前記照明手段は、前記ステンレス板に向けて照明することを特徴とする請求項７ないし１１のいずれかに記載の食器洗浄機。
【請求項１３】
照明手段は、青色のＬＥＤであることを特徴とする請求項７ないし１２のいずれかに記載の食器洗浄機。
【請求項１４】
前記洗浄槽の内部には食器を保持する食器かごが配置され、前記照明手段は、前記食器かごを避けた位置に配置されていることを特徴とする請求項７ないし１３のいずれかに記載の食器洗浄機。
【請求項１５】
前記照明手段は、運転開始後に点灯し、運転開始から所定時間後に消灯することを特徴とする請求項７ないし１４のいずれかに記載の食器洗浄機。
【請求項１６】
前記照明手段を操作するための照明用スイッチを備え、前記照明手段は、これの点灯中に前記照明用スイッチが操作されると消灯し、消灯中に前記照明用スイッチが操作されると所定時間点灯することを特徴とする請求項７ないし１５のいずれかに記載の食器洗浄機。
【請求項１７】
前記照明用スイッチは洗浄条件を設定するスイッチと兼用とし、そのスイッチは、洗浄運転開始前は洗浄条件の設定をし、洗浄運転開始後は照明用スイッチとして機能することを特徴とする請求項１６記載の食器洗浄機。
【請求項１８】
前記扉体には、前記窓部の外側の透明部材の奥に、前記操作部の近傍に位置させて、表示シート及び表示素子を設けたことを特徴とする請求項１ないし１７のいずれかに記載の食器洗浄機。
【請求項１９】
前記操作部の下側に位置させて、前記窓部の外側の透明部材の変形を防止するリブを設けたことを特徴とする請求項１８記載の食器洗浄機。
【請求項２０】
前記表示シートの少なくとも下辺と左右両側辺の３辺に、前記窓部の外側の透明部材に設けたリブを前方からほぼ当接させるようにしたことを特徴とする請求項１８記載の食器洗浄機。
【発明の詳細な説明】
【技術分野】
【０００１】
本発明は、本体の前面開口部を開閉する扉体に、洗浄槽内を外部から見ることができる窓部を備えた食器洗浄機に関する。
【背景技術】
【０００２】
食器洗浄機においては、本体の前面開口部を開閉する扉体に、洗浄槽内を外部から見ることができる窓部を備えたものが提案されている。この場合、洗浄運転に係る設定を行うための操作部を有する操作パネルは、扉体とは別の、例えば本体の前面下部に設けられているのが一般的である（例えば、特許文献１，２参照）。
【特許文献１】特開平１１−３４６９７６号公報
【特許文献２】特開平７−１６３５０２号公報
【発明の開示】
【発明が解決しようとする課題】
【０００３】
ところで、操作部部分の高級感を出すために、操作パネルに透明部材を使用し、この透明部材の表面に印刷フィルムを一体成形することが行われている。しかしながら、従来構成のものでは、扉体の窓部を形成するのに透明部材を必要とすると共に、操作パネル部分にも専用の透明部材を必要とし、しかも、専用のフィルムも必要としているため、コストが高くなるという欠点があった。
【０００４】
本発明は上記した事情に鑑みてなされたものであり、その主たる目的は、扉体に操作部と窓部を備えたものにおいて、操作部部分の高級感を出すことができるようにしながらも、製造コストを極力低減することが可能な食器洗浄機を提供するにある。
【課題を解決するための手段】
【０００５】
上記の目的を達成するために、本発明の食器洗浄機は、内部に洗浄槽を有すると共に前面に開口部を有した本体と、この本体の前面に前記開口部を開閉するように設けられた扉体と、この扉体に設けられ、洗浄運転に係る設定を行うための操作部と、前記扉体に前記操作部の近傍に位置させて設けられ、前記洗浄槽内を外部から透視可能とする窓部とを備え、前記窓部は前記扉体の内側と外側のそれぞれに透明部材を有すると共に、前記外側の透明部材の表面にこれを覆うフィルムを有し、このフィルムにより、前記操作部の前面も覆うようにしたことを特徴とする。
【０００６】
この場合、前記扉体に、前記洗浄槽内を照明する照明手段を設けることが好ましい。
【発明の効果】
【０００７】
本発明においては、窓部及び操作部を扉体に設けていて、窓部の外側の透明部材の表面に設けたフィルムにより、操作部の前面も覆うようにしたことにより、操作部部分の高級感を出すことが可能になる。そして、そのフィルムは、窓部のフィルムと一体に設けることができ、別々に設ける場合に比べて製造コストを低減できるようになる。
扉体に、洗浄槽内を照明する照明手段を設けた場合には、その照明手段により洗浄槽内を照明することにより、洗浄槽内の様子を一層見易くできる。
【発明を実施するための最良の形態】
【０００８】
以下、本発明の一実施形態について図面を参照して説明する。
まず、本発明の食器洗浄機の外観を示す図２において、食器洗浄機の本体１は、前面に開口部２を有した矩形箱状をなしており、外殻が外箱３により形成され、前下部に前下部カバー４を有している。本体１の前面には、上記開口部２を開閉するための扉体５が設けられている。
【０００９】
扉体５は、複数、この場合下部側の下扉体６と上部側の上扉体７との２個の扉体により構成されていて、これら下扉体６と上扉体７は、図示しないリンク機構によって連動するように連結されている。このうち下扉体６は、下端部の左右両側で本体１に対して回動可能に軸支されており、下方への回動によって開口部２の下部を開放する構成となっている。
【００１０】
これに対して、上扉体７は、外箱３上部に摺動及び回動可能に支持されていて、当該上扉体７の左右両端部に設けられた図示しない支軸が、本体１の上部に形成されたガイド溝８に沿って摺動することにより、閉鎖状態から本体１上方へ移動して開放状態となる構成となっている。上扉体７のほぼ中央部には排気口９が設けられている。
上記本体１の内部には、図４に示すように、前面が開口した洗浄槽１０を備えていて、この洗浄槽１０の内部には、開口部２から見える部分にステンレス板１１を備えている。このステンレス板１１は、上方から見て前面が開口したコ字形をなしている。また、洗浄槽１０の内部には、食器等を保持する食器かご１２，１３が出し入れ可能に収容されていると共に、図示はしないが、洗浄用の噴射ノズル、ポンプやヒータ、ファン等が配設されている。ここで、噴射ノズルは、食器かご１２，１３上に載置された食器等に対して洗浄水を噴射し、汚れを落とす洗浄行程及びすすぎ行程を実施するためのものである。ポンプは、洗浄時に噴射ノズルに洗浄水を供給し、排水時には洗浄水を洗浄槽１０の外部へ排出するためのものである。ヒータは、洗浄行程及びすすぎ行程時の洗浄水の加熱に供すると共に、乾燥行程時に温度を上昇させ、ファンによって乾燥風を食器等に吹き付けて乾燥に供するものである。
【００１１】
そして、上記扉体５のうち、下扉体６の左右両端部には、ロック手段を構成する係止爪２０（図１に一方のみ示す）が設けられている。この係止爪２０は、本体１側に設けられた図示しない被係止部に係止することにより、下扉体６を、本体１に対して閉鎖状態にロックするものである。下扉体６の前面部には、図２及び図３に示すように、左右方向の中央部の上部に位置させて、左右方向に延びる開ボタン２１が押圧操作可能に設けられている。また、下扉体６と上扉体７とを連結する上記リンク機構は、下扉体６及び上扉体７を開放する向きに図示しないばねによって付勢されている。ここで、扉体５の閉鎖状態で開ボタン２１が押圧操作されると、前記係止爪２０が被係止部から解放され、ばねの付勢力によって自動的に下扉体６は下方に向けて回動されると共に、上扉体７は支軸が摺動して上方へ移動する。そして、さらに下扉体６を押し下げることにより、両扉体６，７、したがって扉体５は開放状態となる。下扉体６は、開放状態でほぼ水平状態となる（図１の二点鎖線参照）。
【００１２】
次に、上記下扉体６の詳細構造について説明する。図１において、下扉体６の外殻のベースは、表側の扉表板２５と裏側の扉裏板２６とを組み合わせて中空状に構成されていて、前面の中央部には、図２及び図３にも示すように、上記開ボタン２１の下方に位置させて、矩形板状をなす外側透明部材２７が取り付けられている。扉表板２５の前面には、外側透明部材２７及び開ボタン２１を除く部分にステンレス製の飾り板２８が被着されている。外側透明部材２７の下部の裏側において、当該外側透明部材２７と扉表板２５の一部であるパネル部２９とは隙間３０を介して対向している。パネル部２９の上端部には、後方へ向けて突出する水平部２９ａを有していて、このパネル部２９の表面に、水平部２９ａの表面を含めて覆うように表示シート３１が貼り付けられている。また、外側透明部材２７の裏側において、パネル部２９の上方に、開ボタン２１に沿って左右方向へ長い矩形状の開口部３２が形成されている。
【００１３】
下扉体６の裏側において、扉裏板２６には、上記開口部３２よりも下側に大きな開口部３３が形成されていると共に、この開口部３３を覆うように内側透明部材３４が取り付けられている。この場合、外側透明部材２７は、例えばポリスチレンにより形成されたものであり、内側透明部材３４は、例えばポリメチルペンテンにより形成されたものである。ここで、開口部３２を挟んで対向した外側透明部材２７と内側透明部材３４とにより、外部から洗浄槽１０内を透視可能とする窓部３５を構成している。
【００１４】
内側透明部材３４の裏面は扉裏板２６の裏面とほぼ面一となっていて、この扉裏板２６における開口部３３の周縁部には、図５にも示すように、内側透明部材３４の裏面より後方へ突出する凸部３６（後方へ突出する部分に相当）が内側透明部材３４を囲むように枠状に設けられている。この凸部３６において、開口部３３の下辺部に相当する部分には、洗浄槽１０の内方に向けて下降傾斜する斜面３６ａが形成されている。
【００１５】
パネル部２９の裏側には制御ユニット３７が配設されている。この制御ユニット３７は、配線基板３８をケース３９に収納した構成となっている。この配線基板３８の前面側には、洗浄運転に係る設定を行うための複数個のスイッチ４０（図１に１個のみ示す）が設けられていると共に、表示素子を構成する複数の表示用ＬＥＤ４１が設けられ、裏面側に照明手段を構成する青色の照明用ＬＥＤ４２が設けられている。また、配線基板３８には、洗浄運転や表示用ＬＥＤ４１、照明用ＬＥＤ４２を制御する制御手段を構成するマイクロコンピュータ(図示せず)も設けられている。
【００１６】
上記照明用ＬＥＤ４２は、はと目４３を介して配線基板３８の配線に接続するようにしている。また、この照明用ＬＥＤ４２は、図４に示すように、下扉体６の閉鎖状態で、下部の食器かご１２と上部の食器かご１３との間、したがって、これら食器かご１２，１３を避けた位置となるように配置されている。上記ケース３９の後部の上部には、照明用ＬＥＤ４２を囲む囲い部４４が設けられていて、この囲い部４４の内面は、後面側が大きく開口したすり鉢状に形成されている。
【００１７】
また、ケース３９において、窓部３５の下辺部に相当する上部部分に、洗浄槽１０の内方に向けて下降傾斜する斜面４５が形成されている。この斜面４５の後側は、前側の開口部３２の下縁部よりも低くなっており、したがって、窓部３５の下辺部は、奥側である斜面４５の後側（洗浄槽１０側）が、前側である開口部３２の下縁部よりも低くなっている。使用者が窓部３５を通して洗浄槽１０内を見る場合、使用者の目の位置は窓部３５より上方になることが多く、この場合に、窓部３５の下辺部の奥側が前側よりも低くなっていることで、洗浄槽１０内が一層見やすくなる。内側透明部材３４の前面には、ケース３９及び照明用ＬＥＤ４２に対応する部分に、シボ加工部４６を形成している。照明用ＬＥＤ４２は、内側透明部材３４を通して洗浄槽１０内を照明するようになっている。
【００１８】
パネル部２９には、各スイッチ４０に対応する部位に、スイッチ４０を押圧操作するための操作部４７が一体に設けられている。外側透明部材２７には、各操作部４７に対応して孔部４８が形成されている。そして、その外側透明部材２７の表面にはフィルム４９が貼り付けられていて、各操作部４７の前面もそのフィルム４９により覆われている。したがって、そのフィルム４９を介して操作部４７を押圧操作することで、スイッチ４０を操作できる構成となっている。ここで、上記窓部３５は、下扉体６において、上記開ボタン２１と操作部４７との間に位置させて設けられている。
【００１９】
パネル部２９には、各操作部４７の下側に位置させて、前方に向けて突出するリブ５０（図１及び図３参照）を設けていて、このリブ５０の先端が外側透明部材２７の裏面に当接若しくは近接している。このリブ５０は、操作部４７を操作する際において、外側透明部材２７が変形することを防止する作用がある。また、外側透明部材２７には、表示シート３１の下辺と左右両側辺に対応させて、後方に向けて突出するリブ５１（図１及び図３参照）を設けていて、このリブ５１の先端が表示シート３１に当接若しくは近接している。このリブ５１は、表示シート３１の浮き上がりを防止する作用がある。
【００２０】
表示用ＬＥＤ４１の光は、表示シート３１及び外側透明部材２７を通して前方から見ることができるようになっている。また、表示シート３１の表面には表示内容が印刷されていて、その表示内容が、外側透明部材２７を通して前方から見ることができるようになっている。上記複数のスイッチ４０のうち、左端のスイッチは、照明用スイッチと、洗浄条件、この場合除菌用スイッチとを兼用したスイッチとなっていて、この左端のスイッチに対応する操作部４７ａには「除菌／照明」の表示がなされている。以下、この左端の操作部４７ａは、「除菌／照明」キーと呼ぶ。
【００２１】
そして、下扉体６において、外側透明部材２７と、扉表板２５のパネル部２９と、扉裏板２６と、内側透明部材３４とで形成される空間部５５の周囲部は、シール手段を構成するシール部材５６により気密にシールされていて、空間部５５内が曇らない構成となっている。
前記前下部カバー４の内方には電源ユニット５７が配設されていて、この電源ユニット５７と、上記制御ユニット３７の配線基板３８とはリード線５８を介して電気的に接続されている。
【００２２】
上記構成において、食器を洗浄する洗浄運転を行う場合には、洗浄槽１０内の食器かご１２，１３に食器等を収容した状態で、扉体５を閉鎖状態とし、操作部４７を操作して洗浄条件を設定すると共に、洗浄運転を開始させる操作をする。このとき、洗浄運転が開始される前は、上記「除菌／照明」キー４７ａに対応するスイッチは、洗浄条件の設定に使用される。そして、洗浄運転が開始されると、青色の照明用ＬＥＤ４２が点灯し、洗浄槽１０内を照明する。照明用ＬＥＤ４２が発した光は、ステンレス板１１にて反射され、洗浄槽１０内が効率よく照明される。このとき、使用者が、窓部３５を通して洗浄槽１０内を覗き込むと、洗浄槽１０内の様子が良くわかる。照明用ＬＥＤ４２は、洗浄運転が開始された後、所定時間、例えば３０秒間のみ点灯し、この後、自動的に消灯される。
【００２３】
照明用ＬＥＤ４２が消灯した状態で、その照明用ＬＥＤ４２を点灯させる場合には、「除菌／照明」キー４７ａを押圧操作すると、所定時間、例えば１５秒間のみ点灯した後、自動的に消灯する。また、照明用ＬＥＤ４２が点灯した状態で、「除菌／照明」キー４７ａが押圧操作されると、照明用ＬＥＤ４２は消灯される。
上記した実施形態によれば次のような作用効果を得ることができる。
【００２４】
まず、窓部３５及び操作部４７を下扉体６に設けていて、窓部３５の外側透明部材２７の表面に設けたフィルム４９により、操作部４７の前面も覆うようにしたことにより、操作部４７部分の高級感を出すことが可能になる。そして、そのフィルム４９は、窓部３５のフィルム４９と一体に設けることができ、別々に設ける場合に比べて製造コストを低減できるようになる。
【００２５】
下扉体６において、窓部３５を、ロック手段解放操作用の開ボタン２１と操作部４７との間に設けるようにしているので、窓部３５の外側透明部材２７を操作部４７の周辺部分にも使用することができ、窓部３５の外側透明部材２７を有効に利用することができる。
操作部４７により操作されるスイッチ４０、表示用ＬＥＤ４１、及び照明用ＬＥＤ４２が設けられた配線基板３８を有する制御ユニット３７を、扉体５のうちの下扉体６に設けるようにしたので、本体１の電源ユニット５７との電気的接続が容易にできる。
【００２６】
窓部３５の内側透明部材３４の材料をポリメチルペンテンとすることで、その内側透明部材３４は、透明性、耐洗剤性、及び耐熱性に優れたものとなる。また、その内側透明部材３４の周囲部に、当該透明部材３４より後方へ突出する凸部３６を設けているので、例えば最下段の食器かご１４を出し入れする際などでも、その内側透明部材３４が傷付くことを極力防止できる。さらに、上記凸部３６において、開口部３３の下辺部に相当する部分に、洗浄槽１０の内方に向けて下降傾斜する斜面３６ａを形成しているので、その凸部３６の内側部分の水は斜面３６ａに沿って流れ易くなり、そこに水が溜まることを防止できる。
【００２７】
窓部３５の下辺部に相当するケース３９の上部に、洗浄槽１０の内方に向けて下降傾斜する斜面４５を形成し、窓部３５の下辺部の奥側（洗浄槽１０側）が前側よりも低くしていることで、洗浄槽１０内を一層見易くできる。
下扉体６において、外側透明部材２７と、扉表板２５のパネル部２９と、扉裏板２６と、内側透明部材３４とで形成される空間部５５の周囲部は、それぞれシール部材５６により気密にシールする構成としているので、空間部５５内が湿気で曇ることを防止できる。
【００２８】
下扉体６に、洗浄槽１０内を照明する照明用ＬＥＤ４２を設けているので、その照明用ＬＥＤ４２により洗浄槽１０内を照明することにより、洗浄槽１０内の様子を一層見易くできる。
照明用ＬＥＤ４２は、窓部３５の内側透明部材３４の内側に配置していて、その内側透明部材３４を通して洗浄槽１０内を照明する構成としているので、その内側透明部材３４を窓部３５のものを利用でき、照明用ＬＥＤ４２専用に透明部材を設ける必要がなく、コストを低減できると共に、水漏れ対策をする箇所を少なくできる。
【００２９】
表示用ＬＥＤ４１と照明用ＬＥＤ４２を１枚の配線基板３８の表裏に設けるようにしたので、配線基板３８を共用でき、コストを低減できる。また、配線基板３８の表裏を使用するに当たり、はと目４３を使用することで、より確実な電気配線が可能となる。
照明用ＬＥＤ４２を囲む囲い部４４の内面を、後面側が大きく開口したすり鉢状に形成したことにより、照明用ＬＥＤ４２による照明範囲を広くすることができる。内側透明部材３４の前面には、ケース３９及び照明用ＬＥＤ４２に対応する部分にシボ加工部４６を形成したことにより、下扉体６を開放した状態で、そのケース３９部分のあら隠しが可能となり、また、照明用ＬＥＤ４２の照明範囲を広げることが可能になる。
【００３０】
洗浄槽１０内にステンレス板１１を備え、照明用ＬＥＤ４２は、そのステンレス板１１に向けて照明する構成としたことにより、照明用ＬＥＤ４２が発した光は、ステンレス板１１にて反射され、洗浄槽１０内が効率よく照明される。照明用ＬＥＤ４２の発光色として青色のものを用いることで、洗浄槽１０内の視認性を向上させることができる。発明者らは照明用ＬＥＤ４２として、試験的に青、白、橙、緑、赤色のもので実施したが、青が最も視認性が良いことを確認した。照明用ＬＥＤ４２を、食器かご１２，１３を避けた位置となるように配置することで、食器かご１２，１３に邪魔されることを極力防止でき、効率よく照明することができる。
【００３１】
照明用ＬＥＤ４２は、運転開始後に点灯し、運転開始から所定時間後（例えば３０秒後）に消灯するようにしたことにより、不要な電力消費を回避できる。また、照明用ＬＥＤ４２は、これの点灯中に「除菌／照明」キー４７ａが操作されると消灯し、消灯中に「除菌／照明」キー４７ａが操作されると所定時間点灯する構成としているので、使用者の思い通りに照明用ＬＥＤ４２を使用して洗浄槽１０内を見ることができる。
【００３２】
「除菌／照明」キー４７ａに対応するスイッチ４０は、洗浄条件の設定と照明用ＬＥＤ４２の制御とを兼用とし、洗浄運転開始前は洗浄条件のスイッチとして機能し、洗浄運転開始後は照明用ＬＥＤ４２制御用のスイッチとして機能する構成とすることにより、照明用ＬＥＤ４２制御用のスイッチを別途も受ける場合に比べてスイッチ数を少なくでき、その分コストを低減できる。
【００３３】
窓部３５の外側透明部材２７の奥に、操作部４７の近傍に位置させて、表示シート３１及び表示用ＬＥＤ４１を設けたことにより、表示部分が奥まった配置となり、高品位の感じを出す意匠とすることができる。
パネル部２９には、各操作部４７の下側に位置させて、前方に向けて突出するリブ５０を設けていて、このリブ５０の先端が外側透明部材２７の裏面に当接若しくは近接する構成としている。このリブ５０は、操作部４７を操作する際において、外側透明部材２７が変形することを防止する作用がある。
【００３４】
また、外側透明部材２７には、表示シート３１の下辺と左右両側辺に対応させて、後方に向けて突出するリブ５１を設けていて、このリブ５１の先端が表示シート３１に当接若しくは近接する構成としている。このリブ５１は、表示シート３１の浮き上がりを防止する作用がある。
表示シート３１は、パネル部２９の前面と、窓部３５の下辺部を形成する水平部２９ａの上面も覆うように貼り付けているので、その窓部３５の下辺部を表示シート３１にて装飾することができ、商品性を向上させることができる。
【００３５】
本発明は、上記した実施形態にのみ限定されるものではなく、次のように変形または拡張できる。
扉体５は、一枚扉のものであっても良い。
照明手段はＬＥＤ以外の発光素子でも良く、また、表示素子も、ＬＥＤ以外の発光素子でも良い。
【図面の簡単な説明】
【００３６】
【図１】本発明の一実施例を示すもので、図３のＸ−Ｘ線に沿う下扉体の縦断側面図
【図２】全体の外観斜視図
【図３】下扉体の正面図
【図４】全体の破断側面図
【図５】要部の拡大縦断側面図
【符号の説明】
【００３７】
図面中、１は本体、２は開口部、５は扉体、６は下扉体、７は上扉体、１０は洗浄槽、１１はステンレス板、１２，１３，１４は食器かご、２０は係止爪、２１は開ボタン、２５は扉表板、２６は扉裏板、２７は外側透明部材、２９はパネル部、３１は表示シート、３２，３３は開口部、３４は内側透明部材、３５は窓部、３６は凸部（後方へ突出する部分）、３６ａは斜面、３７は制御ユニット、３８は配線基板、３９はケース、４０はスイッチ、４１は表示用ＬＥＤ（表示素子）、４２は照明用ＬＥＤ（照明手段）、４３ははと目、４６はシボ加工部、４７は操作部、４７ａは「除菌／照明」キー（操作部）、４９はフィルム、５０，５１はリブ、５５は空間部、５６はシール部材（シール手段）、５７は電源ユニットを示す。
【図１】
2005342160.tif 000003
【図２】
2005342160.tif 000004
【図３】
2005342160.tif 000005
【図４】
2005342160.tif 000006
【図５】
2005342160.tif 000007